(57)【要約】【課題】自動調光方式のみを用いて、近距離から遠距離までの調光を可能とし、また、近・中距離においては、被写体の反射率にも対応した調光が可能となる撮像装置を提供する。【解決手段】被写体の光学像を結像させる光学手段と、光学手段により結像した光学像を電気的に撮像する撮像手段と、被写体との距離を示す距離情報を取得する距離検出手段と、被写体に対する照明を行う照明手段と、照明手段により照明されている被写体からの反射光を受ける受光手段と、受光手段からの受光信号に応じて、照明手段による照明を停止する自動照明停止手段と、各手段の制御を行う制御手段と、を有し、本撮影に先立って被写体を照明し、被写体の撮像データを得る予備照明を行う撮像装置において、距離検出手段により取得される距離情報に基づいて、予備照明時の照明量である予備照明量、又は、本撮影時の照明量を可変する。【選択図】図３
2008052210.tif 000002
【特許請求の範囲】
【請求項１】
被写体の光学像を結像させる光学手段と、
前記光学手段により結像した光学像を電気的に撮像する撮像手段と、
前記被写体との距離を示す距離情報を取得する距離検出手段と、
前記被写体に対する照明を行う照明手段と、
前記照明手段により照明されている被写体からの反射光を受ける受光手段と、
前記受光手段からの受光信号に応じて、前記照明手段による照明を停止する自動照明停止手段と、
前記各手段の制御を行う制御手段と、を有し、本撮影に先立って前記被写体を照明し、前記被写体の撮像データを得る予備照明を行う撮像装置において、
前記距離検出手段により取得される距離情報に基づいて、前記予備照明時の照明量である予備照明量、又は、前記本撮影時の照明量を可変することを特徴とする撮像装置。
【請求項２】
前記距離検出手段により取得される距離情報に基づいて、予定照明量を予め決定する予定照明量決定手段と、
前記予備照明時における照明開始から照明停止までの実照明量と、前記予定照明量決定手段により予め決定された予定照明量とを比較する照明量比較手段と、を有し、
前記照明量比較手段による比較結果を示す比較情報に基づいて、前記本撮影前に、前記本撮影時の自動照明停止手段に設定する設定値を補正することを特徴とする請求項１記載の撮像装置。
【請求項３】
前記予定照明量及び前記実照明量は、前記照明手段の照明に関わる時間情報であることを特徴とする請求項２記載の撮像装置。
【請求項４】
前記距離検出手段により取得される距離情報に基づいて、前記予備照明量を小さくすることを特徴とする請求項１から３のいずれか１項に記載の撮像装置。
【請求項５】
前記予備照明量にリミッタを持つことを特徴とする請求項１から４のいずれか１項に記載の撮像装置。
【発明の詳細な説明】
【技術分野】
【０００１】
本発明は、被写体照明手段として、ストロボ発光を用いる撮像装置に関する。
【背景技術】
【０００２】
カメラ等の撮像装置における被写体照明手段としては、ストロボ装置を用いるのが一般的である。このストロボ装置には、フラッシュマチック方式（以下、ＦＭ方式という）と、受光センサによる自動調光方式とがある。
【０００３】
ＦＭ方式は、距離情報から発光量を前もって決定する方式で、被写体の反射率の影響を受けにくい一方、遠距離での測距誤差の影響を大きく受けるため、遠距離の調光にはむかない。一方、自動調光方式は、発光後の反射光の積分量で発光を停止する方式で、距離によらず調光できるが、被写体の反射率の影響を大きくうける。なお、自動調光方式については、例えば、特許文献１に開示されている。
【０００４】
以上のことから、従来、近距離から遠距離まで最適に対応することが困難であった。
装置に何らかの被写体距離測定機能があれば、ＦＭ方式と自動調光方式の両方を組み合わせて、いろいろな撮影環境にあったストロボシステムが実現できる。
【０００５】
特許文献２には、測距データや焦点距離によりＦＭ方式と自動調光方式を切り替え、近距離から遠距離まで対応しようとする発明が開示されている。
しかし、この特許文献２記載の発明では、２方式を制御するため複雑なコントロールが要求されるという問題があり、また、自動調光方式において被写体反射率の影響を防止する点が考慮されていないという問題もある。
【特許文献１】特開平３−２８７１４９号公報
【特許文献２】特開平３−１４９５３５号公報
【発明の開示】
【発明が解決しようとする課題】
【０００６】
本発明は、上記事情に鑑みてなされたものであり、被写体との距離を示す距離情報を得る手段と、自動調光方式のストロボ手段とを備えた撮像装置であって、近距離から遠距離の撮影に対応でき、また、予備照明の予定照明量と実照明量との比較によって、被写体反射率の影響をうけにくくする撮像装置を提供することを目的とする。
【課題を解決するための手段】
【０００７】
かかる目的を達成するために、請求項１記載の発明は、被写体の光学像を結像させる光学手段と、光学手段により結像した光学像を電気的に撮像する撮像手段と、被写体との距離を示す距離情報を取得する距離検出手段と、被写体に対する照明を行う照明手段と、照明手段により照明されている被写体からの反射光を受ける受光手段と、受光手段からの受光信号に応じて、照明手段による照明を停止する自動照明停止手段と、各手段の制御を行う制御手段と、を有し、本撮影に先立って被写体を照明し、被写体の撮像データを得る予備照明を行う撮像装置において、距離検出手段により取得される距離情報に基づいて、予備照明時の照明量である予備照明量、又は、本撮影時の照明量を可変することを特徴とする。
【０００８】
請求項２記載の発明は、請求項１記載の発明において、距離検出手段により取得される距離情報に基づいて、予定照明量を予め決定する予定照明量決定手段と、予備照明時における照明開始から照明停止までの実照明量と、予定照明量決定手段により予め決定された予定照明量とを比較する照明量比較手段と、を有し、照明量比較手段による比較結果を示す比較情報に基づいて、本撮影前に、本撮影時の自動照明停止手段に設定する設定値を補正することを特徴とする。
【０００９】
請求項３記載の発明は、請求項２記載の発明において、予定照明量及び実照明量は、照明手段の照明に関わる時間情報であることを特徴とする。
【００１０】
請求項４記載の発明は、請求項１から３のいずれか１項に記載の発明において、距離検出手段により取得される距離情報に基づいて、予備照明量を小さくすることを特徴とする。
【００１１】
請求項５記載の発明は、請求項１から４のいずれか１項に記載の発明において、予備照明量にリミッタを持つことを特徴とする。
【発明の効果】
【００１２】
本発明によれば、自動調光方式のみを用いて、近距離から遠距離までの調光を可能とし、また、近・中距離においては、被写体の反射率にも対応した調光が可能となる。従って、従来のように２方式を制御するための複雑なコントロールを必要とすることなく、近距離から遠距離の撮影に対応でき、また、被写体反射率の影響をうけにくくすることができる。
【発明を実施するための最良の形態】
【００１３】
以下、本発明を実施するための最良の形態について添付図面を参照して詳細に説明する。
【実施例】
【００１４】
図１は、本実施例の撮像装置（カメラ）の構成を示すブロック図である。図１に示すように、本実施例の撮像装置は、レンズ１、メカニカルシャッタ２、ＣＣＤ（Charge Coupled Device：電荷結合素子）３、ＣＣＤ信号を、ＣＤＳ（Correlated Double Sampling：相関二重サンプリング）及びＡ／Ｄ（Analog/Digital）変換するＣＤＳ−Ａ／Ｄ部４、Ａ／Ｄ変換されたデジタル信号を、輝度Ｙ、色差Ｕ，Ｖ信号に変換したり、そのＹＵＶデータをＪＰＥＧ圧縮したりする等の、デジタル信号処理をするＤＳＰ（Digital Signal Processor）部５、メカニカル部（レンズ１、メカニカルシャッタ２）を駆動するドライバであり、レンズ１を駆動するフォーカス駆動部（レンズ位置検出部を含む）と、メカニカルシャッタ２のシャッタ開閉動作部と、を有するメカニカル駆動部６、ＣＣＤ３を駆動するＣＣＤ駆動回路部７、撮像装置全体を制御する制御部であるＣＰＵ（Central Processing Unit）８、撮像した画像データ、ファイルからのリードデータを一時期保持するとともに、ＤＳＰ部５及びＣＰＵ８のワークメモリとして使われるメモリ９、撮像装置の外部と通信を行うための通信部１０、撮像装置に着脱可能なメモリカード１１、ＤＳＰ部５からの映像出力信号をＬＣＤ（Liquid Crystal Display）表示可能な信号に変換する表示コントローラと、実際にそれを表示するＬＣＤからなる表示部１２、本撮像装置を使用するユーザが各操作を行うためのＳＷ（スイッチ）部１３、三角測距方式によるＡＦ（オートフォーカス）部１４、ＣＰＵ８から発光開始・停止を制御されるストロボ発光部１５、ストロボ発光用のメインコンデンサ１６（その充電電圧は、ＣＰＵ８から検出可能）、受光光学系、センサを含むストロボ受光部１７（ＣＰＵ８からの受光開始を受けて以降の受光積分量がＣＰＵ８からの設定値に達したら、ストロボ発行部１５へ発光停止信号を発する）、を有して構成される。
【００１５】
図２は、プログラム構成図であり、本実施例の撮像装置は、メイン処理と、このメイン処理と併行で処理される併行処理と、を実行する。メイン処理は、ＳＷ判定処理、ＡＥ（自動露出）処理、ＡＦ（オートフォーカス）処理、プリ発光処理、発光量比較、本発光シフト処理、静止画記録処理、で構成される。併行処理は、定期タイマ割り込み処理、モニタリング処理、で構成される。この併行処理は、定期的なタイマ割り込み処理で起動され、ＳＷ部１３の状態の読み込みなどを行う。上記各処理は、図７のタイミングチャートに示すタイミングで行われる。
【００１６】
図３は、画像記録時のメイン処理フローである。本実施例の撮像装置は、動画及び静止画を記録可能とするが、ここでの説明は、静止画の記録とする。
【００１７】
まず、記録モードでカメラ電源がＯＮされると、図示しないが、カメラ内部のハードウェア初期化やカード内のファイル情報を、メモリ９内に作成するなどの初期処理を行う。その後、図３に示す記録時のメイン処理が開始される。
【００１８】
メイン処理では、まず、モニタリング状態をチェックする（ステップＳ１）。モニタリング状態がＯＮ中の場合は（ステップＳ１／ＯＮ中）、ステップＳ５へ進む。モニタリング状態が停止状態であれば（ステップＳ１／停止状態）、モニタリング開始処理を行う（ステップＳ２）。このモニタリング開始処理とは、撮像手段であるＣＣＤ３の駆動を開始し、また併行処理のモニタリング処理（図２参照）を起動するものである。なお、メイン処理に最初に入った場合にも、このモニタリング開始処理は実行されることになる。
【００１９】
モニタリング開始処理の後、ＣＰＵ８でメインコンデンサ１６の充電電圧Ｖｍをチェックする（ステップＳ３）。充電電圧Ｖｍが高い場合は（ステップＳ３／高い）、ステップＳ５へ進み、充電電圧Ｖｍが低い場合は（ステップＳ３／低い）、充電を行い（ステップＳ４）、その後ステップＳ５へ進む。
【００２０】
図２に示す併行処理におけるモニタリング処理は、カメラのスルー画像を表示している際のＡＥ、ＡＷＢ（オートホワイトバランス）追尾処理を実行するものであり、これにより、カメラの表示装置に表示している画像を、いつも適正な明るさ、自然な色合いに保つことができる。具体的には、デジタル画像処理部であるＤＳＰ部５においてＣＣＤ３のデータに基づいて評価された、各ＡＥ、ＡＷＢに対する評価値をＣＰＵ８で取得し、その値が所定値になるように、ＣＣＤ駆動回路部７に露光時間のセットし、その撮像信号のＣＣＤ３における増幅率を設定したり、ＤＳＰ部５の画像処理色パラメータを調節したりするフィードバック制御を行う。
【００２１】
なお、上記モニタリング処理や先に述べたＳＷ部の状態の読み込み処理の併行処理は、２０ｍｓの定期タイマ割り込みで実行される。
【００２２】
図３のステップＳ５において、メイン処理のＳＷ判定処理は、上述の２０ｍｓごとの定期タイマ割り込み処理で入力されるＳＷ情報を確定して、操作されたＳＷの対応処理を行う。有効なＳＷ情報がなければ（ステップＳ５／無効操作）、何の処理もせずに、再びステップＳ５のＳＷ判定処理に戻るようにループを繰り返す。
【００２３】
図１に示すＳＷ部１３には、シャッタ釦が備えられている。静止画撮影時は、このシャッタ釦の第一スイッチ（以下、ＳＷと略す）がオンされると（ステップＳ５／第一ＳＷオン処理）、モニタリングを停止し（ステップＳ６）、ＡＥ処理で撮像データをＤＳＰ部５で評価し、撮影露出時に対するＣＣＤ駆動回路部７に設定するＣＣＤの露光時間値、ＣＣＤ３の増幅率を決める（ステップＳ７）。
【００２４】
また、ステップＳ７のＡＥ処理で、低輝度判定されストロボ発光が必要とされるとすると、次にＡＦ処理を行う（ステップＳ８）。
【００２５】
ステップＳ８のＡＦ処理における測距（被写体との距離の測定）は、例えば図８に示すような、２つの異なった光学系で結像した被写体像の位相差による三角測距などが一般的である。
【００２６】
そして、測距処理で取得される距離情報である測距データ（Ｌデータ）に従って、メカニカル駆動部６でレンズ１を動かし、フォーカスを合わせる（ステップＳ９）。その後は、ステップＳ１へ戻る。
【００２７】
ここで、通常の自動調光方式の場合について説明する。第二ＳＷがオンされると、通常の自動調光方式では、ＣＰＵ８は、レンズ１のＦ値、撮像増幅率のテーブルから決定したデフォルト自動調光停止量を、ストロボ受光部１７に設定（セット）する。
【００２８】
自動調光停止量は、基準反射率の被写体が、撮像光学系と通して撮像され、信号増幅され、画像処理されデジタル信号になった場合に、ダイナミックレンジの略中央値Ｙ０になる値に決められる。
【００２９】
基準反射率は、例えば、１８％程度で、その上下の自然界のような反射率の被写体が画面内にあったとしても、なるべく、撮像データのダイナミックレンジに収まるようにするのが良い。
【００３０】
そして、ＣＰＵ８は、ストロボ発光部１５にストロボ発光を、また、ストロボ受光部１７に受光開始を指示する。
【００３１】
ストロボ受光部１７には、被写体からの反射光を受光するセンサ光学系及びセンサ（光電変換素子）がある。このセンサからの受光光電流の積分量が上述の自動調光停止量と同じ値に達したときに、ストロボ発光部１５に停止信号を発し、発光は停止される。
【００３２】
しかし、画面内の反射率の差が少ない一般撮影環境も少なくなく、白を多く含むシーンが逆に輝度Ｙ０の中央値に調光されると、灰色に暗く撮影されたりする弊害がある。逆に暗いシーンが輝度Ｙ０の中央値に調光されると、白浮きした感じの画像となる弊害がある。
【００３３】
以上のことから、本実施例においては、静止画撮影前（本撮影）に先立って、予備照明としてストロボをプリ発光させ、上記弊害を防止するようにする。
【００３４】
すなわち、本実施例では、図３において、第二ＳＷがオンされると（ステップＳ５／第二ＳＷオン処理）、ストロボ判断を行う（ステップＳ１０）。ストロボ無しと判断した場合（ステップＳ１０／無し）、ステップＳ１４へ進む。ストロボ有りと判断した場合（ステップＳ１０／有り）、プリ発光（ステップＳ１１）、発光量比較（ステップＳ１２）、本発光シフト処理（ステップＳ１３）を順次行い、ステップＳ１４へ進む。そして、モニタリングを停止した後（ステップＳ１４）、静止画記録処理を行い（ステップＳ１５）、ステップＳ１へ戻る。
なお、第一ＳＷ及び第二ＳＷ以外の、その他のＳＷがオンされた場合は（ステップＳ５／その他ＳＷオン処理）、その他のＳＷに対応する処理を行い、ステップＳ１へ戻る。
【００３５】
次に、図３に示したプリ発光（ステップＳ１１）及び発光量比較（ステップＳ１２）について、図４，５，６をそれぞれ参照しながら、以下詳細に説明をする。
【００３６】
〈例１〉
まず、例１として、図４（ａ）、（ｂ）を参照して、各処理について説明する。
プリ発光は、図４（ａ）に示すように、デフォルト自動調光停止量をセットし（ステップＳ２１）、発光を開始した後（ステップＳ２２）、発行停止待ちとなる（ステップＳ２３）。
発光量比較は、図４（ｂ）に示すように、予定発光量Ｇを計算し（ステップＳ３１）、計算で求めたＧによるテーブル値として、メインコンデンサの予定残電圧Ｖｐをプログラムで持つ（ステップＳ３２）。メインコンデンサに実際残っている電圧Ｖｍをリードし（ステップＳ３３）、ＶｐとＶｍとを比較し、自動調光停止量シフト値を決定する（ステップＳ３４）。
【００３７】
以下、図４（ｂ）の発光量比較について、さらに詳しく説明する。
具体的には、測距データ（Ｌデータ）から、前もってプリ発光後のメインコンデンサの予定残電圧Ｖｐを決めておく。
【００３８】
予定残電圧は、基準反射率の被写体で、距離Ｌ、撮影Ｆ値、ＩＳＯ感度で、プリ発光し、自動調光された後に、メインコンデンサに残っている電圧の予定値である。
【００３９】
例えば、ＩＳＯ感度１００、レンズのＦ値をＦｎｏ.、距離Ｌ[ｍ]の基準反射率の被写体へストロボ撮影する場合の、発光量Ｇを、以下の式１で計算する（図４（ｂ）、ステップＳ３１）。
Ｇ＝Ｆｎｏ.×Ｌ・・・（式１）
【００４０】
ＩＳＯ感度が異なれば、さらに式２のように変換する。ΔＩＳＯは、ＩＳＯ１０
０とのＡＰＥＸ段数差である。
Ｇ＝（√２）ΔＩＳＯ×Ｇ・・・（式２）
Ｇはストロボ発光量を示す値である。
【００４１】
メインコンデンサの予定残電圧Ｖｐは、計算で求めたＧによるテーブル値としてプログラムで持つことができる（図４（ｂ）、ステップＳ３２）。
【００４２】
プリ発光後に、計算上のＶｐとメインコンデンサに実際残っている電圧Ｖｍとを比較する（図４（ｂ）、ステップＳ３４）。
【００４３】
比較の結果、ＶｍがＶｐとほぼ同じ値なら、距離Ｌの被写体の反射率は基準反射率と同程度とみなし、本発光時に設定する自動調光停止量をプリ発光での設定値と同じにするのが良い。一方、ＶｍがＶｐより所定量大きい場合は、被写体の平均反射率は高めであるので、本発光時に設定する自動調光停止量をプリ発光での設定値より高く設定するのが良い。逆に、ＶｍがＶｐより所定量小さい場合は、被写体の平均反射率は低めであるので、本発光時に設定する自動調光停止量をプリ発光での設定値より低く設定するのが良い。
【００４４】
なお、被写体がストロボ受光部の測光エリアの画角に対して小さい場合も、ＶｍがＶｐより小さくなる。この場合も、本撮影時の自動調光停止量をプリ発光時と同じにすると、被写体が白とびする可能性が高い。よって、上述の通りに、自動調光停止量が、プリ発光での設定値より低く設定されるとちょうどよい。
【００４５】
以上のように、例１によれば、自動調光方式においても自動調光停止量を可変することで、被写体の平均反射率に応じたストロボ調光が可能である。
【００４６】
〈例２〉
上記例１では、メインコンデンサの残電圧により被写体反射率を推定しているが、プリ発光時の発光開始から自動停止までの時間を計時して、その時間によって被写体反射率を推定するのでも良い。
【００４７】
以下、例２として、図５（ａ）、（ｂ）を参照して説明する。
プリ発光は、図５（ａ）に示すように、デフォルト自動調光停止量をセットし（ステップＳ４１）、発光を開始及び計時を開始した後（ステップＳ４２）、発行停止待ち及び計時Ｔｒ完了となる（ステップＳ４３）。
発光量比較は、図５（ｂ）に示すように、予定発光量Ｇを計算し（ステップＳ５１）、計算で求めたＧによるテーブル値として、プリ発光時の予定発光時間Ｔｐをプログラムで持つ（ステップＳ５２）。ＴｒとＴｐとを比較し、自動調光停止量シフト値を決定する（ステップＳ５３）。
【００４８】
以下、図５（ｂ）の発光量比較について、さらに詳しく説明する。
具体的には、測距データ（Ｌデータ）から、前もってプリ発光時の予定発光時間Ｔｐを決めておく。
【００４９】
予定発光時間は、基準反射率の被写体で、距離Ｌ、撮影Ｆ値、ＩＳＯ感度で、プリ発光し、自動調光された場合の発光開始から自動停止まで時間の予定計算値である。
【００５０】
例えば、ＩＳＯ感度１００、レンズのＦ値をＦｎｏ.、距離Ｌ[ｍ]の基準反射率の被写体へストロボ撮影する場合の、発光量Ｇは、上述の式１、式２で求められる（図５（ｂ）、ステップＳ５１）。
【００５１】
プリ発光時の予定発光時間Ｔｐは、計算で求めたＧによるテーブル値としてプログラムで持つことができる（図５（ｂ）、ステップＳ５２）。
【００５２】
プリ発光後に、計算上のＴｐと実際の発光時間Ｔｒとを比較する（図５（ｂ）、ステップＳ５３）。
【００５３】
比較の結果、ＴｒがＴｐとほぼ同じ値なら、距離Ｌの被写体の反射率は基準反射率と同程度とみなし、本発光時に設定する自動調光停止量をプリ発光での設定値と同じにするのが良い。一方、ＴｒがＴｐより所定量大きい場合は、被写体の平均反射率は高めであるので、本発光時に設定する自動調光停止量をプリ発光での設定値より高く設定するのが良い。逆に、ＴｒがＴｐより所定量小さい場合は、被写体の平均反射率は低めであるので、本発光時に設定する自動調光停止量をプリ発光での設定値より低く設定するのが良い。
【００５４】
以上のように、例２によれば、自動調光方式においても自動調光停止量を可変することで、被写体の平均反射率に応じたストロボ調光が可能である。
【００５５】
〈例３〉
上記例では、遠距離の被写体に対しては、プリ発光時の予定照明量を決定する誤差が大きい。また、予備照明でメインコンデンサの電圧を消費すると、本発光時の到達距離も短くなってしまう。さらに、被写体が低コントラストの場合は、測距不能で、測距データが得られない場合もある。また、プリ発光を禁止することもできるが、距離によりプリ発光したり、しなかったりするのは、使用者からみれば動作が不安定に感じる。
【００５６】
そのため、プリ発光より測光することには寄与しないが、微小発光するのが良く、また、赤目の防止にもなる。
【００５７】
例３として、図６（ａ）、（ｂ）を参照して、各処理について説明する。
プリ発光は、図６（ａ）に示すように、まず、ＡＦ結果を判断する（ステップＳ６１）。そして、ＡＦ結果が遠距離又は測距不能の場合は（ステップＳ６１／遠距or測距不能）、微小発光用自動調光停止量をセットし（ステップＳ６２）、ステップＳ６４へ進む。一方、ＡＦ結果が遠距離及び測距不能以外の場合は（ステップＳ６１／遠距and測距不能）、デフォルト自動調光停止量をセットし（ステップＳ６２）、ステップＳ６４へ進む。そして、発光を開始した後（ステップＳ６４）、発行停止待ちとなる（ステップＳ６５）。
発光量比較は、図６（ｂ）に示すように、まず、ＡＦ結果を判断する（ステップＳ７１）。そして、ＡＦ結果が遠距離又は測距不能の場合は（ステップＳ７１／遠距or測距不能）、自動調光停止量シフト値をゼロに決定し（ステップＳ７６）、終了する。一方、ＡＦ結果が遠距離及び測距不能以外の場合は（ステップＳ７１／遠距and測距不能）、予定発光量Ｇを計算し（ステップＳ７２）、計算で求めたＧによるテーブル値として、メインコンデンサの予定残電圧Ｖｐをプログラムで持つ（ステップＳ７３）。メインコンデンサに実際残っている電圧Ｖｍをリードし（ステップＳ７４）、ＶｐとＶｍとを比較し、自動調光停止量シフト値を決定する（ステップＳ７５）。
【００５８】
また、測距が近距離から遠距離の間であっても、被写体の反射率やストロボの受光部の画角に対して被写体が小さい場合は、プリ発光量が大きくなり、本発光時に十分なエネルギーが残っていない危険性もある。
このため、例２のように、プリ発光の時間を計時して、所定時間でＣＰＵ８から発光を停止させるのが良い。
【００５９】
以上説明したように、本実施例の撮像装置によれば、自動調光方式の１つの方式で、近距離から遠距離までの調光を可能とし、また、近・中距離においては、被写体の反射率にも対応した調光が可能となる。
【００６０】
また、本実施例の撮像装置によれば、予備照明について、遠距離時などで無駄にエネルギーを消費することを防ぐ。
【００６１】
また、本実施例の撮像装置によれば、予備照明について、被写体の反射率が極端に低かったり、また、被写体の大きさが小さすぎたりしても、無駄にエネルギーを消費することを防ぐ。
【００６２】
以上、本発明の実施例について説明したが、上記実施例に限定されるものではなく、その要旨を逸脱しない範囲において種々の変形が可能である。
【産業上の利用可能性】
【００６３】
本発明は、デジタルスチルカメラ等の電子撮像装置に適用できる。
【図面の簡単な説明】
【００６４】
【図１】本発明の一実施例である撮像装置のハードウェア構成を示すブロック図である。
【図２】本発明の一実施例である撮像装置のプログラム構成を示すブロック図である。
【図３】本発明の一実施例である撮像装置のメイン処理動作を示すフローチャートである。
【図４】（ａ）は、本発明の一実施例である撮像装置のプリ発光処理動作の一例を示すフローチャートであり、（ｂ）は、本発明の一実施例である撮像装置の発光量比較動作の一例を示すフローチャートである。
【図５】（ａ）は、本発明の一実施例である撮像装置のプリ発光処理動作の一例を示すフローチャートであり、（ｂ）は、本発明の一実施例である撮像装置の発光量比較動作の一例を示すフローチャートである。
【図６】（ａ）は、本発明の一実施例である撮像装置のプリ発光処理動作の一例を示すフローチャートであり、（ｂ）は、本発明の一実施例である撮像装置の発光量比較動作の一例を示すフローチャートである。
【図７】本発明の一実施例である撮像装置の各処理動作のタイミングを示すタイミングチャートである。
【図８】一般的な三角測距を示す説明図である。
【符号の説明】
【００６５】
１    レンズ（光学手段）
２    メカニカルシャッタ
３    ＣＣＤ（撮像手段）
４    ＣＤＳ−Ａ／Ｄ部
５    ＤＳＰ部
６    メカニカル駆動部
７    ＣＣＤ駆動回路部
８    ＣＰＵ（制御手段）
９    メモリ
１１    メモリカード
１２    表示部
１３    ＳＷ部
１４    ＡＦ部（距離検出手段）
１５    ストロボ発光部（照明手段）
１６    メインコンデンサ
１７    ストロボ受光部（受光手段）
【図１】
2008052210.tif 000003
【図２】
2008052210.tif 000004
【図３】
2008052210.tif 000005
【図４】
2008052210.tif 000006
【図５】
2008052210.tif 000007
【図６】
2008052210.tif 000008
【図７】
2008052210.tif 000009
【図８】
2008052210.tif 000010